(57)【要約】      （修正有）【課題】自動機によりアクチュエータが絶縁ハウジングに組み合わされる電気コネクタを提供する。【解決手段】絶縁本体と、前記絶縁本体に装着される複数の端子２０と、前記絶縁本体に組合されるアクチュエータ３０とを含む電気コネクタにおいて、前記端子は前記アクチュエータに回動可能に係合する支持アームと、前記支持アームに対向するように設けられるコンタクトアームとを含み、前記アクチュエータ３０は絶縁プラスチックで射出成型され、少なくとも二つの断面を断ち切って形成されることを特徴として電気コネクタを構成する。【選択図】図１
0003160516.tif 000002
【実用新案登録請求の範囲】
【請求項１】
絶縁本体と、前記絶縁本体に装着される複数の端子と、前記絶縁本体に組合されるアクチュエータとを含む電気コネクタにおいて、
前記端子は前記アクチュエータに回動可能に係合する支持アームと、前記支持アームに対向するように設けられるコンタクトアームとを含み、
前記アクチュエータは絶縁プラスチックで射出成型され、少なくとも二つの断面を断ち切って形成されることを特徴とする電気コネクタ。
【請求項２】
前記アクチュエータは、第一側部と前記第一側部と対向する第二側部とを含み、前記断面が前記第一側部の端縁に形成され、前記第二側部には前記端子の支持アームに回動可能に係合する軸部が形成されることを特徴とする請求項１に記載の電気コネクタ。
【請求項３】
前記アクチュエータの第二側部には、前記端子の支持アームを収容する貫通孔が形成され、前記軸部が前記貫通孔に設けられることを特徴とする請求項２に記載の電気コネクタ。
【請求項４】
前記第一側部は、長手方向に沿って延出され、前記第一側部の先端縁には凹部が設けられ、前記断面が前記凹部に形成されることを特徴とする請求項３に記載の電気コネクタ。
【請求項５】
前記アクチュエータの凹部は、第一凹部と第二凹部を含み、第一凹部は射出成型機の射出ノズルが金型へ絶縁プラスチックを流し込む通口であることを特徴とする請求項４に記載の電気コネクタ。
【請求項６】
前記アクチュエータの第二凹部には射出成型で形成された突出片が形成され、前記第二凹部での断面は前記突出片を断ち切ることによって形成されることを特徴とする請求項５に記載の電気コネクタ。
【請求項７】
前記アクチュエータは細長の板状となって、二つの側部を有して、そのうちの一方の側部に前記端子の支持アームに対応する貫通孔が形成されることを特徴とする請求項１に記載の電気コネクタ。
【請求項８】
前記断面は、前記他方の側部に形成されることを特徴とする請求項７に記載の電気コネクタ。
【請求項９】
前記貫通孔は列で配置され、前記貫通孔には軸部が設けられることを特徴とする請求項８に記載の電気コネクタ。
【請求項１０】
前記端子の支持アームの先端縁部には、前記軸部に回動可能に係合する切欠凹部が形成されることを特徴とする請求項９に記載の電気コネクタ。
【考案の詳細な説明】
【技術分野】
【０００１】
本考案は、回路基板に実装される電気コネクタに関し、特に、一般にＦＰＣ、ＦＦＣなどと呼ばれている平型柔軟ケーブル（この明細書においてもこれらを代表して単に「ＦＰＣ」という。）を接続するためのＦＰＣ用コネクタに関する。
【背景技術】
【０００２】
従来この種のコネクタは、特許文献１に示されるように、ＦＰＣ挿入空間が設けられた絶縁ハウジングと、絶縁ハウジングに所定のピッチで並列して装着された複数の端子であって、それぞれに設けられたコンタクト片が前記ＦＰＣ挿入空間に臨んでいる複数の端子と、ＦＰＣ挿入空間にＦＰＣを挿入可能とする第一の位置（開放位置）と、挿入されたＦＰＣを端子のコンタクト片に向けて付勢する第二の位置（閉鎖位置）の間で回動可能に設けられたアクチュエータとを備えた構成とされていた。前記端子はコンタクト片と対向するように自由末端に枢接部が設けられる支持アームを有して、前記アクチュエータに前記端子の支持アームと対応する複数の貫通孔が形成され、貫通孔同士の中に端子の枢接部に回動可能に係合する軸部が形成される。
【０００３】
一般に、アクチュエータが絶縁ハウジングに組み合わせる場合に、まず、操作者によってアクチュエータを所定の位置と角度まで調整し、次に、機械装置を介して、アクチュエータが前記所定の位置と角度で絶縁ハウジングに組付けられて端子の枢接部に回動可能に係合することが実現される。
【先行技術文献】
【特許文献】
【０００４】
【特許文献１】中国発明公開第１５４９４０１号明細書
【考案の概要】
【考案が解決しようとする課題】
【０００５】
しかしながら、電気コネクタの小型化の発展に従って、操作者によってアクチュエータを所定の位置と角度に確実に調整することが困難になって、アクチュエータと絶縁ハウジングの間の組合が不便になる恐れがあった。また、操作者により組合する場合に、組合時間が長くなると共に生産性が低下なった。そこで、新型な電気コネクタを開発することが必要である。
【０００６】
本考案は上記問題点を解消するためになされたものであり、自動機によりアクチュエータが絶縁ハウジングに組み合わされる電気コネクタを提供することを主な目的とする。
【課題を解決するための手段】
【０００７】
前記課題を解決するために、請求項１の考案は、絶縁本体と、前記絶縁本体に装着される複数の端子と、前記絶縁本体に組合されるアクチュエータとを含む電気コネクタにおいて、前記端子は前記アクチュエータに回動可能に係合する支持アームと、前記支持アームに対向するように設けられるコンタクトアームとを含み、前記アクチュエータは絶縁プラスチックで射出成型され、少なくとも二つの断面を断ち切って形成されることを特徴とする電気コネクタを提供する。
【０００８】
請求項２の考案は、請求項１の考案において、前記アクチュエータは、第一側部と前記第一側部と対向する第二側部とを含み、前記断面が前記第一側部の端縁に形成され、前記第二側部には前記端子の支持アームに回動可能に係合する軸部が形成されることを特徴とする。
【０００９】
請求項３の考案は、請求項２の考案において、前記アクチュエータの第二側部には、前記端子の支持アームを収容する貫通孔が形成され、前記軸部が前記貫通孔に設けられることを特徴とする
【００１０】
請求項４の考案は、請求項３の考案において、前記第一側部は、長手方向に沿って延出され、前記第一側部の先端縁には凹部が設けられ、前記断面が前記凹部に形成されることを特徴とする。
【００１１】
請求項５の考案は、請求項４の考案において、前記アクチュエータの凹部は、第一凹部と第二凹部を含み、第一凹部は射出成型機の射出ノズルが金型へ絶縁プラスチックを流し込む通口であることを特徴とする。
【００１２】
請求項６の考案は、請求項５の考案において、前記アクチュエータの第二凹部には射出成型で形成された突出片が形成され、前記第二凹部での断面は前記突出片を断ち切ることによって形成されることを特徴とする。
【００１３】
請求項７の考案は、請求項１の考案において、前記アクチュエータは細長の板状となって、二つの側部を有して、そのうちの一方の側部に前記端子の支持アームに対応する貫通孔が形成されることを特徴とする。
【００１４】
請求項８の考案は、請求項７の考案において、前記断面は、前記他方の側部に形成されることを特徴とする。
【００１５】
請求項９の考案は、請求項８の考案において、前記貫通孔は列で配置され、前記貫通孔には軸部が設けられることを特徴とする。
【００１６】
請求項１０の考案は、請求項９の考案において、前記端子の支持アームの先端縁部には、前記軸部に回動可能に係合する切欠凹部が形成されることを特徴とする。
【考案の効果】
【００１７】
本考案の電気コネクタのアクチュエータは自動機によって絶縁ハウジングに組合されるので、従来の操作者の操作より、組合操作が簡単になり、生産性が向上した。
【図面の簡単な説明】
【００１８】
【図１】本考案に係る電気コネクタの組立斜視図である。
【図２】図１に示す電気コネクタのアクチュエータが開放位置まで回動した斜視図である。
【図３】図１に示す電気コネクタのＡ−Ａ線に沿う断面図である。
【図４】図２に示す電気コネクタのＢ−Ｂ線に沿う断面図である。
【図５】本考案に示す電気コネクタのアクチュエータにおいて突出片が断ち切られていない斜視図である。
【図６】図５に示す電気コネクタのアクチュエータにおいて突出片が断ち切られた斜視図である。
【考案を実施するための形態】
【００１９】
以下、図１乃至図６を参照すると、本考案の電気コネクタは、回路基板（図示せず）に実装され、ＦＰＣを接続するものに用いられ、絶縁ハウジング１０と、絶縁ハウジング１０に装着される複数の端子２０と、絶縁ハウジング１０に組み合わせるアクチュエータ３０と、絶縁ハウジング１０の長手方向での両端部にそれぞれ保持される保持部材５０とを含む。
【００２０】
図１と図２を参照すると、絶縁ハウジング１０は、長手方向に沿って延出する第一壁１１と、該第一壁１１と平行に配置される第二壁１２と、前記第一壁11と第二壁１２の端部をそれぞれ連接する端壁１３とを含み、前記第一壁１１、第二壁１２、端壁１３はＦＰＣ挿入空間１４が画成されている。第二壁１２のＦＰＣ挿入空間１４に臨む内側面１７には、長手方向に所定のピッチで端子装着孔１５が形成され、端子装着孔１５がＦＰＣ挿入空間１４に連通するように設置される。端壁１３に収容孔１６がそれぞれ設けられ、前記保持部材５０は収容孔１６に保持され、ＦＰＣ挿入空間１４の側部において露出している。
【００２１】
図３と図４を参照すると、複数の端子２０は、絶縁ハウジング１０に装着され、回路基板と直交するように配置される基部２１と、基部２１の一端からＦＰＣの挿入方向とは反対の方向に沿って延出する支持アーム２２と、基部２１の他端から前記支持アーム２２と対向して延出するコンタクトアーム２３と、基部２１の他端からコンタクトアーム２３とは反対の方向に沿って延出する半田部２４とを含み、支持アーム２２とコンタクトアーム２３が二股状となっている。前記支持アーム２２は前記第一壁１１のＦＰＣ挿入空間１４に臨む内側面に当接され、その先端部下縁には枢接部２５として、該先端部下縁にはＦＰＣ挿入空間１４に臨む切欠凹部２６が形成される。コンタクトアーム２３が片持ち梁状となって端子装着孔１５に収容され、ＦＰＣ挿入空間１４に挿入されるＦＰＣ５の下面と対向できるようにされている。
【００２２】
図５を参照すると、アクチュエータ３０は絶縁材料で成型され、図２に示す第一の位置（開放位置）と、図１に示されている第二の位置（閉鎖位置）の間で回動可能とされている。アクチュエータ３０は、細長の板状で、外側面３１と、第二の位置でＦＰＣ挿入空間１４に挿入されるＦＰＣ５の上面と対向できる加圧面３２と、長手方向に沿う先端での第一側部３３と、後端での第一側部３３と平行的な第二側部３４と、第一側部３３と第二側部３４を連接する長手方向の両端での端部３５とを含む。第二側部３４には前記外側面３１と加圧面３２を貫通して、端子２０の枢接部２５を収容するための貫通孔３６が形成され、各貫通孔３６に前記端子２０の切欠凹部２６に回動可能に係合する軸部３７が設けられる。アクチュエータ３０が回動する時には、係合した切欠凹部２６と軸部３７を回動中心として回動するようにされて、第一の位置（開放位置）と第二の位置（閉鎖位置）の間で回動できる。また、前記端部３５には絶縁ハウジング１０の収容孔１６に支持し収容される支持部４３が突出するように形成される。
【００２３】
アクチュエータ３０の第一側部３３の先端縁の両側には第一凹部３８と第二凹部３９がそれぞれ形成される。前記第一凹部３８はアクチュエータ３０が射出成型される時に形成され、第一凹部３８は射出成型機の射出ノズルが金型へ絶縁プラスチックを流し込む通口である。射出成型機の射出ノズル（図示せず）を通じて絶縁プラスチックを金型まで流し込んで、アクチュエータ３０を成型完成する時に、アクチュエータ３０と射出成型機の射出ノズルに連接する箇所にはざらざらした第一断面４０が形成し、該第一断面４０が前記第一凹部３８に位置される。
【００２４】
前記第二凹部３９には、アクチュエータ３０と一体に成型された突出片４１が設けられ、該突出片４１が前記第一側部３３の先端縁から突出するように配置される。アクチュエータ３０を絶縁ハウジング１０と端子２０の組合体に組合する自動機（図示せず）は、前記突出片４１によりアクチュエータ３０を選択して、同時にアクチュエータ３０を所定の位置及び角度まで確実に調整してから、自動機によりアクチュエータ３０が絶縁ハウジング１０と端子２０の組合体に組合されて、アクチュエータ３０の軸部３７を端子２０の切欠凹部２６に回動可能に係合する。自動機によって組合操作が簡単になり、生産性が向上した。
【００２５】
組合した時に、前記突出片４１をアクチュエータ３０から断ち切って前記第二凹部３９にざらざらした第二断面４２が形成される。前記第一断面４０と第二断面４２が絶縁プラスチックで断ち切って形成される。
【００２６】
本考案に係る電気コネクタは、アクチュエータ３０を射出成型する際に、アクチュエータ３０の一端に第一断面４０を形成し、他端に突出片４１を形成し、自動機が前記突出片４１によりアクチュエータ３０を所定の位置及び角度に確実に調整でき、操作者の操作より組合操作が簡単になり、生産性が向上した。アクチュエータ３０を絶縁ハウジング１０に組合した時に、前記突出片４１を断ち切ると前記第二凹部３９にざらざらした第二断面４２が形成される。
【００２７】
勿論、他の実施状態において、前記第一断面及び第二断面が二つに限定されず、複数の第一断面と第二断面を形成してもいい。
【００２８】
以上、本考案について最良の実施の形態を参照して詳細に説明したが、本実施形態はあくまでも例示的なものであり、これらに限定されない。また、本考案に基づきなしうる細部の修正或は変更など、いずれも本考案の請求範囲に属するものとする。
【符号の説明】
【００２９】
１０  絶縁ハウジング
１１  第一壁
１２  第二壁
１３  端壁
１４  ＦＰＣ挿入空間
１５  端子装着孔
１６  収容孔
２０  端子
２１  基部
２２  支持アーム
２３  コンタクトアーム
２４  半田部
２５  枢接部
２６  切欠凹部
３０  アクチュエータ
３１  外側面
３２  加圧面
３３  第一側部
３４  第二側部
３５  端部
３６  貫通孔
３７  軸部
３８  第一凹部
３９  第二凹部
４０  第一断面
４１  突出片
４２  第二断面
５０  保持部材
【図１】
0003160516.tif 000003
【図２】
0003160516.tif 000004
【図３】
0003160516.tif 000005
【図４】
0003160516.tif 000006
【図５】
0003160516.tif 000007
【図６】
0003160516.tif 000008
【手続補正書】
【提出日】平成22年4月21日(2010.4.21)
【手続補正１】
【補正対象書類名】実用新案登録請求の範囲
【補正対象項目名】請求項８
【補正方法】変更
【補正の内容】
【請求項８】
前記断面は、前記二つの側部の中の他方の側部に形成されることを特徴とする請求項７に記載の電気コネクタ。